(57)【要約】【課題】  本発明は、上記の問題点に鑑みてなされたものであり、一人でも施工ができ使い勝手が良いとともに、建物の構造など現場に対応させて調整することが可能な緑化装置を提供することにある。【解決手段】  上記課題を解決するために本発明の壁面緑化装置は、直線状の鉄筋でできた複数本の縦格子と曲線状の鉄筋でできた複数本の横格子とにより格子状に形成された第１の巻き付き部と、前記第１の巻き付き部の縦格子の少なくとも両端の縦格子と接続される縦格子を有する複数本の直線状の鉄筋でできた縦格子と前記第１の巻き付き部の横格子と同一方向に湾曲した曲線状の鉄筋でできた複数本の横格子とにより格子状に形成された第２の巻き付き部と、前記第１の巻き付き部の上部に前記第２の巻き付き部を折畳み自在に連結する連結手段と、第１の巻き付き部の下端に設けられて地面に接地する接地部とを備えている。【選択図】図１
2013183732.tif 000002
【特許請求の範囲】
【請求項１】
直線状の鉄筋でできた複数本の縦格子と曲線状の鉄筋でできた複数本の横格子とにより格子状に形成された第１の巻き付き部と、前記第１の巻き付き部の縦格子の少なくとも両端の縦格子と接続される縦格子を有する複数本の直線状の鉄筋でできた縦格子と前記第１の巻き付き部の横格子と同一方向に湾曲した曲線状の鉄筋でできた複数本の横格子とにより格子状に形成された第２の巻き付き部と、前記第１の巻き付き部の上部に前記第２の巻き付き部を折畳み自在に連結する連結手段と、第１の巻き付き部の下端に設けられて地面に接地する接地部とを備えたことを特徴とする壁面緑化装置。
【請求項２】
第１の巻き付き部と第２の巻き付き部との間には第２の巻き付き部が不用意に折れ曲がるのを防止する第１の折れ曲がり防止手段を設けた請求項１記載の壁面緑化装置。
【請求項３】
第１の巻き付き部と接地部との間には第１の巻き付き部が不用意に折れ曲がるのを防止する第２の折れ曲がり防止手段を設けた請求項１〜２のいずれか１項に記載の壁面緑化装置。
【請求項４】
前記連結手段により前記第２の巻き付き部は前記第１の巻き付き部に対し、角度が可変になっている請求項１〜３のいずれか１項に記載の壁面緑化装置。
【請求項５】
前記第１の巻き付き部は、複数に分割されており、分割部には第１の巻き付き部を折畳み自在にする連結手段が設けられている請求項１〜４のいずれか１項に記載の壁面緑化装置。
【請求項６】
接地部は、直線状の鉄筋でできた複数本の縦格子と、前記縦格子の一端部を連結する曲線状の鉄筋でできた第１の連結材とで構成されており、前記縦格子の他端部を連結する直線状の鉄筋でできた第２の連結材とで構成されており、前記第１の連結材は、前記第１の巻き付き部と第１の巻き付き部を折畳み自在に連結する連結手段を介して連結されている請求項１〜５のいずれか１項に記載の壁面緑化装置。
【発明の詳細な説明】
【技術分野】
【０００１】  本発明は、窓面や壁面を緑化するために使用する壁面緑化装置に関するものである。
【背景技術】
【０００２】  従来、節電が重視され、窓面緑化・壁面緑化の関心が高まってきている。地球温暖化の原因とされる温室効果ガスの削減およびヒートアイランド現象の緩和をすべく、各家庭でも窓面緑化・壁面緑化が促進されつつある。【０００３】  このような状況に鑑みて、特許文献１に示すようなツル科植物育成装置が提案されているが、このものにあっては、鉄筋にて格子状に形成された長方形状の平面部の周囲を長方形状の枠フレームで囲むことで構成された据置き壁体を一対の脚体で保持したものであり、枠フレームにより強度の向上が図られているが重くなり、使い勝手が悪いとともに、一枚の平面部によりツル科植物が巻き付く巻き付き部が形成されており、建物の構造など現場に対応させて調整するようにはなっておらず、施工しずらいという問題点があった。
【先行技術文献】
【特許文献】
【０００４】
【特許文献１】特許第２００５−１２４４３７号公報
【発明の概要】
【発明が解決しようとする課題】
【０００５】  本発明は、上記の問題点に鑑みてなされたものであり、一人でも施工ができ、使い勝手が良いとともに、建物の構造など現場に対応させて調整することが可能な緑化装置を提供することにある。
【課題を解決するための手段】
【０００６】  上記課題を解決するために本発明の壁面緑化装置は、直線状の鉄筋でできた複数本の縦格子と曲線状の鉄筋でできた複数本の横格子とにより格子状に形成された第１の巻き付き部と、前記第１の巻き付き部の縦格子の少なくとも両端の縦格子と接続される縦格子を有する複数本の直線状の鉄筋でできた縦格子と前記第１の巻き付き部の横格子と同一方向に湾曲した曲線状の鉄筋でできた複数本の横格子とにより格子状に形成された第２の巻き付き部と、前記第１の巻き付き部の上部に設けられて前記第２の巻き付き部を折畳み自在に連結する連結手段と、前記第１の巻き付き部の下端に設けられて地面に接地する接地部とを備えている。
【発明の効果】
【０００７】  本発明に係る壁面緑化装置は、直線状の鉄筋でできた複数本の縦格子と曲線状の鉄筋でできた複数本の横格子とにより格子状に形成された第１の巻き付き部と、前記第１の巻き付き部の縦格子の少なくとも両端の縦格子と接続される縦格子を有する複数本の直線状の鉄筋でできた縦格子と前記第１の巻き付き部の横格子と同一方向に湾曲した曲線状の鉄筋でできた複数本の横格子とにより格子状に形成された第２の巻き付き部と、前記第１の巻き付き部の上部に設けられて前記第２の巻き付き部を折畳み自在に連結する連結手段と、前記第１の巻き付き部の下端に設けられて地面に接地する接地部とを備えたことを特徴とするものであるから、巻き付き部の横格子は曲線状の鉄筋でできているので、巻き付き部の強度が高く、別途補強する必要が無いので軽量なものにすることができるという効果と、第１の巻き付き部と第２の巻き付き部は折畳み自在になっているのでコンパクトにすることが可能となり、購入後の持ち帰りや運搬、小スペースの保管ができるという効果がある。【０００８】  また、第１の巻き付き部と第２の巻き付き部との間には第２の巻き付き部が不用意に折れ曲がるのを防止する第１の折れ曲がり防止手段を設けたものは、第１の巻き付き部と第２の巻き付き部との間で不用意に折れ曲がることが無く、壁面緑化装置が強固になるという効果がある。【０００９】  また、第１の巻き付き部と接地部との間には第１の巻き付き部が不用意に折れ曲がるのを防止する第２の折れ曲がり防止手段を設けたものは、第１の巻き付き部と接地部との間で不用意に折れ曲がることが無く、壁面緑化装置が強固になるという効果がある。【００１０】  また、連結手段により第２の巻き付き部は第１の巻き付き部に対し、角度が可変になっているものは、建物の構造など現場に対応させて第１の巻き付き部と第２の巻き付き部の角度を調整することができるという効果がある。【００１１】  また、第１の巻き付き部は、複数に分割されており、分割部には第１の巻き付き部を折畳み自在にする連結手段が設けられているものは、第１の巻き付き部を折り畳むことにより、更にコンパクトにすることが可能となり、購入後の持ち帰りや運搬、小スペースの保管ができるという効果がある。【００１２】  また、壁面緑化装置として、接地部が直線状の鉄筋でできた複数本の縦格子と、前記縦格子の一端部を連結する曲線状の鉄筋でできた第１の連結材とで構成されており、前記縦格子の他端部を連結する直線状の鉄筋でできた第２の連結材とで構成されており、前記第１の連結材は、前記第１の巻き付き部と第１の巻き付き部を折畳み自在に連結する連結手段を介して連結されているものは、接地部も折畳み自在にすることが可能であり、更にコンパクトにすることが可能となり、購入後の持ち帰りや運搬、小スペースの保管ができるという効果がある。
【図面の簡単な説明】
【００１３】
【図１】図１は、本発明の壁面緑化装置の正面図。
【図２】図２は、同上の壁面緑化装置の側面図。
【図３】図３は、同上の壁面緑化装置の接地部の平面図。
【図４】図４は、同上の壁面緑化装置の動作状態を説明する斜視図。
【図５】図５は、同上の壁面緑化装置の動作状態を説明する斜視図。
【図６】図６は、同上の壁面緑化装置の動作状態を説明する斜視図。
【図７】図７は、同上の壁面緑化装置の動作状態を説明する斜視図。
【図８】図８は、同上の壁面緑化装置の連結手段の動作状態を説明する一部切欠した斜視図。
【図９】図９は、同上の壁面緑化装置の連結手段の動作状態を説明する一部切欠した斜視図。
【図１０】図１０は、同上の壁面緑化装置の連結手段のピンを説明する斜視図。
【図１１】図１１は、図１におけるＡ部拡大斜視図。
【図１２】図１２は、同上の壁面緑化装置の折り畳んだ状態を示す側面図。
【発明を実施するための形態】
【００１４】  以下、本発明を実施するための形態について、図面を参照して説明する。
【００１５】  壁面緑化装置１は、直線状の鉄筋でできた複数本の縦格子２と曲線状の鉄筋でできた複数本の横格子３とにより格子状に形成された第１の巻き付き部４と、前記第１の巻き付き部４の縦格子の少なくとも両端の縦格子２ａと接続される縦格子５ａを有する複数本の直線状の鉄筋でできた縦格子５と前記第１の巻き付き部４の横格子３と同一方向に湾曲した曲線状の鉄筋でできた複数本の横格子６とにより格子状に形成された第２の巻き付き部７と、前記第１の巻き付き部４の上部に設けられて前記第２の巻き付き部７を折畳み自在に連結する第１の連結手段８ａと、前記第１の巻き付き部４の下端に設けられて地面に接地する接地部９とを備え、前記第１の連結手段８ａにより前記第２の巻き付き部７は前記第１の巻き付き部４に対し、角度が可変になっている。
【００１６】  第１の巻き付き部４の縦格子２は、直線状の５本のＤ６ミリメートル異形鉄筋で構成されており、第１の巻き付き部４の横格子３は、同一曲率（半径５００ミリメートル）の曲線状の２０本のＤ６ミリメートル異形鉄筋で構成されており、直線状の鉄筋でできた５本の縦格子２と、曲線状の鉄筋でできた２０本の横格子３とで格子状に形成された第１の巻き付き部４は、立体的な構造にすることで、軽量でありながら剛性を持たせている。縦格子２と横格子３はそれぞれ溶接により接合されている。縦格子２及び横格子３は、強度に応じて適宜設定すれば良いものである。
【００１７】  第２の巻き付き部７の縦格子５は、直線状の５本のＤ６ミリメートル異形鉄筋で構成されており、第２の巻き付き部７の横格子６は、同一曲率（半径５００ミリメートル）の曲線状の５本のＤ６ミリメートル異形鉄筋で構成されており、直線状の鉄筋でできた５本の縦格子５と、曲線状の鉄筋でできた５本の横格子３とで格子状に形成された第２の巻き付き部７は、立体的な構造にし、軽量でありながら剛性を持たせている。第２の巻き付き部７の縦格子５は、曲線状に形成されていても構わないものである。縦格子５と横格子６はそれぞれ溶接により接合されている。縦格子５及び横格子６は、強度に応じて適宜設定すれば良いものである。
【００１８】  壁面緑化装置１として、第１の巻き付き部４の鉄筋及び第２の巻き付き部７の鉄筋は、Ｄ６ミリメートル異形鉄筋で構成されているものは、鉄筋が異形であり、ツル性植物が絡みやすく成長を促進させることができる。また、６ミリメートルのものだと、壁面緑化装置として適度な太さであり、強度を維持しつつ、軽量化も図ることができる。
【００１９】  第１の巻き付き部４の両端に位置する縦格子２ａと第２の巻き付き部７の両端に位置する縦格子５ａは、他の縦格子に比し、長く形成されており、第１の巻き付き部４の縦格子２ａの上端部が第１の連結手段８ａの下筒部１０に挿入後、溶接され、第２の巻き付き部７の縦格子５ａの下端部が第１の連結手段８ａの上筒部１１に挿入後、溶接されている。
【００２０】  第１の巻き付き部４は２分割されており、第１の巻き付き部上部４ａと、第１の巻き付き部下部４ｂとで構成されている。第１の巻き付き部上部４ａと第１の巻き付き部下部４ｂとの両端に位置する縦格子２ａ、２ｂは、他の縦格子２に比し、長く形成されており、第１の巻き付き部上部４ａの縦格子２ａの下端部が第２の連結手段８ｂの上筒部１１に挿入後、溶接され、第１の巻き付き部下部４ｂの縦格子２ｂの上端部が第２の連結手段８ｂの下筒部１０に挿入後、溶接されている。
【００２１】  接地部９は、図３に示すように、直線状の４本の縦格子１２と直線状の３本の横格子１３とで平面形状四角形に形成されている。縦格子１２と横格子１３はそれぞれ溶接により接合されている。
【００２２】  接地部９の両端に位置する縦格子１２には縦格子１３と同径で上方に突出する突出部１４が形成されており、突出部１４が第３の連結手段８ｃの下筒部１０に挿入後、溶接される。第１の巻き付き部下部４ｂの両端に位置する縦格子２ｂは他の縦格子に比し、長く形成されており、第１の巻き付き部下部４ｂの両端に位置する縦格子２ｂの下端部が第３の連結手段８ｃの上筒部１１に挿入後、溶接される。
【００２３】  第１の連結手段８ａと第２の連結手段８ｂと第３の連結手段８ｃは同一のもので構成されており、ヒンジ部１５で曲げることにより、接続した縦格子２ａ、２ｂ、５ａ、１３を直線状にすることができるとともに、折り畳んで重ね合わすことができるように構成されている。第１の連結手段８ａと第２の連結手段８ｂと第３の連結手段８ｃは、ヒンジ部１５により２段階の固定角度を設けており、第１の連結手段８ａの曲げ角度を変えることにより高さ調整が可能となり、建物の構造など現場に対応させることが可能となっている。
【００２４】  第３の連結手段８ｃは、ヒンジ部１５で曲げることにより、接続した縦格子を所定角度にすることができるとともに、折り畳んで重ね合わすことができるように構成されている。
第１の連結手段８ａと第２の連結手段８ｂと第３の連結手段８ｃにより、壁面緑化装置１を折り畳むことにより、１１６０ミリメートル×６００ミリメートル×３６０ミリメートルの折畳み時のサイズにすることができ、収納性、持ち運びの利便性を高めているが、サイズの小さいものにしても構わないものである。
【００２５】  第１の連結手段８ａと第２の連結手段８ｂと第３の連結手段８ｃには、接続した縦格子を所定角度で保持できるように複数個の開口部１６が形成されており、ピン１７を開口部１６に挿入することにより、縦格子２、５を所定角度で保持できるようになっている。第１の連結手段８ａと第２の連結手段８ｂと第３の連結手段８ｃには２個の開口部１６を設けたが、角度の設定に応じて３個でも４個でも良いものである。
【００２６】  第１の巻き付き部４と第２の巻き付き部７との間には第２の巻き付き部７が不用意に折れ曲がるのを防止する第１の折れ曲がり防止手段１８が設けられている。
【００２７】  第１の折れ曲がり防止手段１８は、第１の巻き付き部４の中央部の２本の縦格子２から延設されるとともに先端が連結片１９で連結されたコ字状に形成されており、第２の巻き付き部７の最下端に位置する横格子６に係合して第２の巻き付き部７が不用意に折れ曲がるのを防止している。
【００２８】  第１の巻き付き部上部４ａと第１の巻き付き部下部４ｂとの間には第１の巻き付き部上部４ａが不用意に折れ曲がるのを防止する第２の折れ曲がり防止手段２０が設けられている。
【００２９】  第２の折れ曲がり防止手段２０は、第１の折れ曲がり防止手段１８と同様に、第１の巻き付き部下部４ｂの中央部の２本の縦格子２から延設されるとともに先端が連結片２１で連結されたコ字状に形成されており、第１の巻き付き部上部４ａの最下端に位置する横格子６に係合して第１の巻き付き部上部４ａが不用意に折れ曲がるのを防止している。
【００３０】  第１の巻き付き部下部４ｂと接地部９との間には第１の巻き付き部下部４ｂが不用意に折れ曲がるのを防止する第３の折れ曲がり防止手段２２が設けられている。
【００３１】  第３の折れ曲がり防止手段２２は、第１の折れ曲がり防止手段１８と同様に、接地部９の中央部の２本の縦格子２から立設されるとともに先端が連結片２３で連結されたコ字状に形成されており、第１の巻き付き部下部４ｂの最下端に位置する横格子６に係合して第１の巻き付き部下部４ｂが不用意に折れ曲がるのを防止している。
【００３２】  折れ曲がり防止手段１８、２０、２２は、壁面緑化装置１を構成する鉄筋で形成し、別部材を用いることなく折れ曲がりを防止したが、別部材、異なる材質、材料で形成しても構わないものであり、針金で縛るようにしても構わないものであり、洗濯バサミのようなクリップで形成しても構わないものである。
【００３３】  第２の巻き付き部７の縦格子２の上端部の先端には、図１１に示すように、合成樹脂材でできたキャップ２４が取り付けられており、このキャップ２４によりキャップ２４が当接する壁面等の保護をしている。
【００３４】  壁面緑化装置１を使用するには、折り畳まれた状態から第１の連結手段８ａと第２の連結手段８ｂと第３の連結手段８ｃを所定の角度にすることで、壁面緑化装置１を拡げることができるのであり、第１の連結手段８ａの角度を調節することで、設置場所に応じたキャップ２４の高さにすることができる。壁面緑化装置１が不用意に倒れるのを防止すべく、接地部９に土を入れたプランターを接地部９上に置くようにすれば良い。
【００３５】  壁面緑化装置１を使用することにより、一般家屋、マンション、アパートのベランダなどのガラス窓の外側や壁面に近接配置し、簡単に窓面緑化、壁面緑化ができ、遮光効果、遮蔽効果で室温の上昇を抑え、エアコンの稼働率を減らし、更に家庭菜園を楽しめ、緑化による癒し効果や暖かみが得られ、自然との調和や建物との一体感を考慮し、冬には電飾を施す等、一年を通じて楽しむことができ、設置や収納に手間や場所の取らない製品を提供することが可能となる。
【００３６】  キャップ２４は、建物の壁面（窓上部壁面）に２点でもたれ掛けさせ、製品の規格サイズにより、希望の高さが得られるものである。また、壁面の反対方向に倒れるのを防止するストッパーを設け、転倒防止の安全設計を適宜計っても構わないものである。
【００３７】  第２の巻き付き部７の縦格子２の上端部は、突出しており、強度を上げるために補強部材２５が設けられている。
【符号の説明】
【００３８】１  壁面緑化装置
２  縦格子
３  横格子
４  第１の巻き付き部
５  縦格子
６  横格子
７  第２の巻き付き部
８  連結手段
９  接地部
【図１】
2013183732.tif 000003
【図２】
2013183732.tif 000004
【図３】
2013183732.tif 000005
【図４】
2013183732.tif 000006
【図５】
2013183732.tif 000007
【図６】
2013183732.tif 000008
【図７】
2013183732.tif 000009
【図８】
2013183732.tif 000010
【図９】
2013183732.tif 000011
【図１０】
2013183732.tif 000012
【図１１】
2013183732.tif 000013
【図１２】
2013183732.tif 000014